(57)【要約】【課題】プレート子機やナースコール子機のマイク感度を状態により可変することを可能とし、それらの音声情報を録音することにより、起き上がりや離床時の状況を詳細に確認できる可能なナースコールシステムを提供する。【解決手段】ナースコールシステムにおいて、プレート子機、ナースコール子機のうち少なくとも一方にはマイクを備え、患者の起き上がりや離床等の患者状態の変化を映像又はセンサにて検出するための患者状態検出部と、呼出を検出したとき第1のマイク感度に設定し、患者状態の変化を検出したとき第２のマイク感度に設定する制御をおこなうマイク感度設定部とを備えたことを特徴とする。【選択図】図１
2018170634.tif 000002
【特許請求の範囲】
【請求項１】
ナースステーションに設置され、患者からの呼出に応答するためのナースコール親機と、患者が看護師を呼ぶためのナースコール子機と、当該ナースコールが接続されるプレート子機と、プレート子機が接続され、前記ナースコール子機からの呼出があると廊下にて報知するための廊下灯と、各機器を制御するための制御機とから構成されるナースコールシステムであって、
前記プレート子機、前記ナースコール子機のうち少なくとも一方にはマイクを備え、
患者の起き上がりや離床等の患者状態の変化を映像又はセンサにて検出するための患者状態検出部と、前記呼出を検出したとき第1のマイク感度に設定し、前記患者状態の変化を検出したとき第２のマイク感度に設定する制御をおこなうマイク感度設定部とを備えたことを特徴とするナースコールシステム。
【請求項２】
前記患者状態検出部は、カメラにて撮像された患者の映像を解析して前記患者状態の変化を検出するものであって、
当該患者状態を検出したとき、前記映像とともに、前記カメラと関連付けられたマイクの音声を録画・録音する制御をおこなうことを特徴とする請求項１記載のナースコールシステム。
【請求項３】
前記患者状態検出部は、起き上がりと離床とをそれぞれ検出するものであって、
当該起き上がりが検出されたときは第２のマイク感度に設定し、離床が検出されたときは第３のマイク感度に設定する制御をおこなうマイク感度設定部を備えた請求項１又は請求項２記載のナースコールシステム。
【請求項４】
前記録音は、看護師が前記プレート子機に備えられる復旧操作部を操作するまで継続しておこなわれることを特徴とする請求項１乃至請求項３何れか１項記載のナースコールシステム。
【請求項５】
前記廊下灯に、他のプレート子機、ナースコール子機、天井マイクのうち少なくとも１つが接続されている場合、前記患者状態検出部が患者状態の変化を検出したときには接続され、且つ未駆動状態の他のプレート子機、ナースコール子機、天井マイクを聴取用のマイクとして駆動させる制御をおこなうことを特徴とする請求項１乃至請求項４何れか１項記載のナースコールシステム。
【発明の詳細な説明】
【技術分野】
【０００１】
本発明はナースコールシステムにおいて、ナースコール呼出時のプレート子機、ナースコール子機のマイク感度と、起き上がり、離床時の当該マイク感度を変更させることができるナースコールシステムに関するものである。
【背景技術】
【０００２】
従来のナースコールシステムでは、起き上がりや離床を検出したとき、プレート子機やナースコール子機のマイクをオンにして聴取をおこなうものがあった。
これにより、看護師は、患者の状況を音声にて確認することができ、どのような状況であったのか把握することが可能となる。また、近年では、患者にカメラを設置することにより、その様子を確認することができるものとなっていた。
【先行技術文献】
【特許文献】
【０００３】
【特許文献１】特開２０１０−０７５３７６号公報
【発明の概要】
【発明が解決しようとする課題】
【０００４】
しかし、プレート子機やナースコール子機の設置位置は固定されており、ベッドに寝た状態で使うことが想定されているため、起き上がりや離床時には当該プレート子機やナースコール子機のマイクから遠ざかってしまい、うまく聴取することが困難となっていた。
本発明は、上述の難点を解消するためになされたもので、プレート子機やナースコール子機のマイク感度を状態により可変することを可能とし、それらの音声情報を録音することにより、起き上がりや離床時のリアルタイムの状況だけでなく、後で改めて確認することが可能なナースコールシステムを提供することを目的とする。
【課題を解決するための手段】
【０００５】
本発明は、ナースステーションに設置され、患者からの呼出に応答するためのナースコール親機と、患者が看護師を呼ぶためのナースコール子機と、当該ナースコールが接続されるプレート子機と、プレート子機が接続され、ナースコール子機からの呼出があると廊下にて報知するための廊下灯と、各機器を制御するための制御機とから構成されるナースコールシステムであって、プレート子機、ナースコール子機のうち少なくとも一方にはマイクを備え、患者の起き上がりや離床等の患者状態の変化を映像又はセンサにて検出するための患者状態検出部と、呼出を検出したとき第1のマイク感度に設定し、患者状態の変化を検出したとき第２のマイク感度に設定する制御をおこなうマイク感度設定部とを備えたことを特徴とする。
【０００６】
また、請求項１において、患者状態検出部は、カメラにて撮像された患者の映像を解析して患者状態の変化を検出するものであって、当該患者状態を検出したとき、映像とともに、カメラと関連付けられたマイクの音声を録画・録音する制御をおこなうことを特徴とする。
【０００７】
また、請求項１又は請求項２において、患者状態検出部は、起き上がりと離床とをそれぞれ検出するものであって、当該起き上がりが検出されたときは第２のマイク感度に設定し、離床が検出されたときは第３のマイク感度に設定する制御をおこなうマイク感度設定部を備えたことを特徴とする
【０００８】
また、請求項１乃至請求項３何れかにおいて、録音は、看護師がプレート子機に備えられる復旧操作部を操作するまで継続しておこなわれることを特徴とする。
また、請求項１乃至請求項４何れかにおいて、廊下灯に、他のプレート子機、ナースコール子機、天井マイクのうち少なくとも１つが接続されている場合、患者状態検出部が患者状態の変化を検出したときには接続され、且つ未駆動状態の他のプレート子機、ナースコール子機、天井マイクを聴取用のマイクとして駆動させる制御をおこなうことを特徴とする。
【発明の効果】
【０００９】
本発明のナースコールシステムによれば、起き上がりや離床時において、プレート子機やナースコール子機のマイク感度をより高感度に設定する（広い範囲を聴取可能にする）ことにより、起き上がりや離床時のリアルタイムの状況だけでなく、後で改めて確認するときに明瞭な音声を得ることができるので、どのような状況だったのか把握しやすくなる。
【図面の簡単な説明】
【００１０】
【図１】図１は、本発明のナースコールシステムの構成図である。
【図２】図２は、本発明のナースコールシステムにおける廊下灯のブロック図である。
【図３】図３は、本発明のナースコールシステムにおけるプレート子機のブロック図である。
【発明を実施するための形態】
【００１１】
図１は、本発明のナースコールシステムの構成図である。
ナースコールシステムは、ナースステーションに設置され、患者からの呼出に応答するためのナースコール親機１と、患者名が表記され、患者からの呼出を報知するための廊下灯２と、患者が看護師を呼ぶためのナースコール子機３と、当該ナースコールが接続されるプレート子機４と、各機器を制御するための制御機５と、看護師が携行するスマートホン等の携帯端末８と通信するための交換機６及び基地局７と、患者情報を管理する管理パソコン９、各機器を接続するためのＨＵＢ１０と、廊下灯２に接続される患者の起き上がりや利用を検出するためのカメラ１１、看護師と患者が通話したり放送したりするための天井マイク１２、天井スピーカ１３とから構成されている。
【００１２】
図２は、廊下灯のブロック図である。
患者氏名や担当看護師、感染症情報等の患者情報を記憶する患者情報記憶部２１と、カメラ１１、プレート子機４、制御機５等が接続される通信ＩＦ２２と、各部を制御するための廊下灯ＣＰＵ２３とから構成されている。また、廊下灯ＣＰＵ２３は、カメラで撮像した映像から起き上がりや離床の状態に変化したことを検出するプログラムを格納した患者状態検出部２３１を備えている。
なお、患者状態検出部２３１は、カメラ１１で撮像した映像をもとに検出しているが、マットセンサのような重量センサにより検出するようなものであってもよい。
【００１３】
図３は、プレート子機４のブロック図である。
握りボタンやハンド子機等のナースコール子機３を接続するためのナースコール子機接続部４１と、患者が看護師と通話するためのプレート子機マイク４２ａ、プレート子機スピーカ４２ｂと、緊急呼出等の状態を復旧するための復旧ボタン４３と、各機器と通信をおこなうための通信ＩＦ４４と、各部を制御するためのプレート子機ＣＰＵ４５とを備えている。また、プレート子機ＣＰＵ４５は、患者の状態に応じてマイク感度を設定するためのマイク感度設定部４５１を備えている。
【００１４】
なお、上記実施例において、患者情報記憶部２１、患者状態検出部２３１、マイク感度設定部４５１は、それぞれ廊下灯２やプレート子機４に備えているがこれに限るものではなく、その他、制御機やナースコール親機などに備えていてもよい。
【００１５】
このように構成されたナースコールシステムについて、以下、動作を説明する。
まず、ナースコールシステムを使って、患者が看護師を呼び出す従来の動作について簡単に説明する。
患者は看護師を呼び出すためにナースコール子機３を操作すると、呼出信号がプレート子機４、廊下灯２を介して制御機５に送信される。このとき廊下灯２では、呼出報知のために画面に患者情報が表示されるとともに、廊下灯２の図示しないＬＥＤが点滅して呼出がある旨が表示される。
【００１６】
制御機５は、ナースコール親機１及び交換機６、基地局７を介して担当看護師が携行している携帯端末８を呼び出す制御をおこなう。ナースコール親機１、携帯端末８の呼出報知画面には患者情報が表示され、どちらかで応答する。当該応答時において、プレート子機ＣＰＵ４５は通常のナースコール呼出であることを検出するのでマイク４２ａの感度は第１の感度にて制御され、通話がおこなわれる。これにより、看護師は、患者のもとにかけつけて処置をするなどをおこなうことができるし、各表示部の患者情報を確認することにより、適切な処置をおこなうことができる。
【００１７】
次に、患者の起き上がりを検出したときの動作について詳述する。
カメラ１１が患者の状態変化を検出するために常時駆動している。この映像は廊下灯２に送信され、通信ＩＦ２２を介して廊下灯ＣＰＵ２３に入力され解析される。患者状態検出部２３１は、患者の状態を映像解析により実施しており、寝ている状態から起き上がった状態への変化を検出した場合、起き上がり状態を検出したことを通信ＩＦ２２を介してプレート子機４に起き上がり状態検出信号を送信し、プレート子機４では通信ＩＦ４４を介してナースコール子機ＣＰＵ４５にて受信され、これをもとにマイク感度設定部４５１は第２のマイク感度へ変更する制御がおこなわれる。
【００１８】
マイク４２ａは第２のマイク感度にて駆動し、プレート子機４から少し離れた患者の様子を確認することができるように調整される。
このときカメラ１１の映像と、カメラ１１に関連付けられたプレート子機４のマイク４２ａで集音した音を呼出信号と同様の経路で制御機５に送信し、録画・録音がおこなわれる。なお、この起き上がり検出時には、呼出時と同様にナースコール親機１や携帯端末８にて呼出報知がなされ、カメラ１１で撮像された映像とマイク４２ａで集音した音声を確認することができる。また、上述のとおり、制御機５に録画・録音された映像と音声は後ほど改めてナースコール親機１や携帯端末８で再生が可能である。
【００１９】
ここで廊下灯２の患者状態検出部２３１は、患者の起き上がりだけではなく離床も検出することができる。離床状態へ変化したことを患者状態検出部２３１が検出されたときには、起き上がり時と同様に第２のマイク感度としてもよいが、離床はベッドから離れてしまうことになるため、より高感度の第３のマイク感度とすると好適である。
このように、マイク感度を変化させることにより、患者の状態に応じた音をより鮮明に集音することができる。なお、この集音した音は上述のとおり制御機５に録音しているが、起き上がりや離床を検出してから当該状態を復旧するため看護師が患者のもとに到着し、プレート子機４の復旧ボタン４３を操作して復旧操作するまでおこなうようにすると、起き上がりや離床時の状況を把握しやすい。
【００２０】
なお、本実施例においては、カメラ１１に関連付けられたプレート子機４のマイク４２ａを用いて集音しているが、当該プレート子機４に接続されるナースコール子機３（マイク、スピーカ付きのハンド子機）のマイクを用いても同様の効果を奏する。
また、廊下灯に、他の患者が使用するプレート子機４やナースコール子機３、病室単位で設置される天井マイク１２のうち少なくとも１つが接続されている場合には、廊下灯ＣＰＵ４５は、患者状態検出部が起き上がりや離床等の患者状態の変化を検出したとき、それらの機器が呼出通話等で使用していない未駆動状態である場合には、当該他のプレート子機４、ナースコール子機３、天井マイク１２を聴取用のマイクとして駆動させる制御をおこなう。このときの感度も同様に第２や第３のマイク感度、又はより感度を高めた第４のマイク感度に調整してもよい。このように病室全体のマイクで集音することができるので、より患者の状態を把握しやすい。
【符号の説明】
【００２１】
１                    ナースコール親機
２                    廊下灯
２３                  廊下灯ＣＰＵ
２３１                           患者状態検出部
３                    ナースコール子機（ハンド子機）
４                    プレート子機
４２ａ                プレート子機マイク
４２ｂ                プレート子機スピーカ
４３                  復旧ボタン
４５                  プレート子機ＣＰＵ
４５１                           マイク感度設定部
【図１】
2018170634.tif 000003
【図２】
2018170634.tif 000004
【図３】
2018170634.tif 000005